(57)【要約】【課題】薬剤保持体の大きさに関係なく小さな装置本体を用いることができ、多量の薬剤を保持し長期間使用できると共に、装置本体を小型にできるようにした薬剤放散装置とする。【解決手段】送風機２が設けられた装置本体１に薬剤保持取付部１ｂを設け、この薬剤保持体取付部１ｂに薬剤保持体３を取付けた薬剤放散装置で、薬剤保持体３を多量の薬剤を保持して長期間使用できるようにしても、その装置本体１を小型とすることができる。【選択図】      図１
2004337035.tif 000002
【特許請求の範囲】
【請求項１】
送風機２が設けてあると共に、薬剤保持体取付部１ｂを有する装置本体１と、
この薬剤保持体取付部１ｂに取付けた薬剤保持体３を備え、
前記送風機２を駆動することで薬剤保持体３に空気が流通して保持した薬剤が気中に放散されることを特徴とする薬剤放散装置。
【請求項２】
薬剤保持体取付部１ｂに、薬剤保持体３を着脱自在に取付けた請求項１記載の薬剤放散装置。
【請求項３】
薬剤保持体３は、薬剤を保持した保持本体３ａを筒状の保護体３ｂで保護した形状で、
その保護体３ｂが薬剤保持体取付部１ｂに取付けられる請求項１又は２記載の薬剤放散装置。
【請求項４】
保持本体３ａは、ハニカム状構造体で、保護体３ｂの軸方向に貫通した多数の通気孔３ｃを有する請求項３記載の薬剤放散装置。
【請求項５】
保護体３ｂに保持本体３ａが着脱自在に設けてある請求項３又は４記載の薬剤放散装置。
【発明の詳細な説明】
【０００１】
【発明の属する技術分野】
本発明は、殺虫、忌避、消臭、芳香、防菌防黴等の目的に供する薬剤を気中に放散する薬剤放散装置、特に屋外や工場、病院、ホテルなど大空間場所等の業務用場面、産業用場面で使用する薬剤放散装置に関する。
【０００２】
【従来の技術】
特許文献１に開示された薬剤放散装置が知られている。
この薬剤放散装置は、装置本体のチャンバ内にファンと薬剤保持体を設け、ファンを駆動することで空気を薬剤保持体を通して外部に排出することによって、その薬剤保持体が保持している薬剤を気中に放散するものである。
【０００３】
【特許文献１】
特開平１１−２８０４０号公報
【０００４】
【発明が解決しようとする課題】
前述した従来の薬剤放散装置は、薬剤保持体が装置本体内に設けてあるので、その装置本体の大きさは薬剤保持体の大きさによって決まる。
また、前述した従来の薬剤放散装置の使用期間は、薬剤保持体で保持している薬剤量によって決まり、例えば、大空間場所で長期間使用する場合には多量の薬剤を保持した薬剤保持体を用いることになる。このように多量の薬剤を保持した薬剤保持体は大型である。
このために、大空間場所で長期間使用する薬剤放散装置は、その装置本体が大型である。
【０００５】
本発明は、前述の課題に鑑みなされたものであって、その目的は、薬剤保持体の大きさに関係なく小さな装置本体を用いることができるようにした薬剤放散装置を提供することである。
【０００６】
【課題を解決するための手段】
第１の発明は、送風機２が設けてあると共に、薬剤保持体取付部１ｂを有する装置本体１と、
この薬剤保持体取付部１ｂに取付けた薬剤保持体３を備え、
前記送風機２を駆動することで薬剤保持体３に空気が流通して保持した薬剤が気中に放散されることを特徴とする薬剤放散装置である。
【０００７】
第２の発明は、第１の発明において薬剤保持体取付部１ｂに、薬剤保持体３を着脱自在に取付けた薬剤放散装置である。
【０００８】
第３の発明は、第１又は第２の発明において薬剤保持体３は、薬剤を保持した保持本体３ａを筒状の保護体３ｂで保護した形状で、
その保護体３ｂが薬剤保持体取付部１ｂに取付けられる薬剤放散装置である。
【０００９】
第４の発明は、第３の発明において保持本体３ａは、ハニカム状構造体で、保護体３ｂの軸方向に貫通した多数の通気孔３ｃを有する薬剤放散装置である。
【００１０】
第５の発明は、第３又は第４の発明において保護体３ｂに保持本体３ａが着脱自在に設けてある薬剤放散装置である。
【００１１】
【作  用】
第１の発明によれば、装置本体１の大きさは薬剤保持体３の大きさに関係なく、薬剤保持体３の大きさを装置本体１の大きさ以上とすることができる。
よって、薬剤保持体３の大きさに関係なく小さな装置本体１を用いることができ、多量の薬剤を保持して長期間使用できる薬剤放散装置でありながら、その装置本体１を小さくすることができる。
【００１２】
第２の発明によれば、装置本体１を共通として薬剤保持体３を簡単に交換することができる。
また、装置本体１を壁などの被着対象物にあらかじめ取付け、その後に薬剤保持体３を取付けできるから、その取付け作業が容易である。
【００１３】
第３の発明によれば、保護体３ｂを持って薬剤保持体３を取り扱いできるから、その取り扱い時に薬剤が手に付着したり、保持本体３ａが損傷する等を防止できる。
【００１４】
第４の発明によれば、保持本体３ａがハニカム状構造体であるから、薬剤保持体３は、小型軽量で多量の薬剤を保持できると共に、全面に空気が均一にスムーズに流通して薬剤を終始安定して気中に放散できる。
【００１５】
第５の発明によれば、保護体３ｂを共通として保持本体３ａを交換できるから、保護体３ｂを繰り返して使用できるので、薬剤保持体３が安価である。
【００１６】
【発明の実施の形態】
図１に示すように、装置本体１と、この装置本体１に設けた送風機２と、前記装置本体１に取付けた薬剤保持体３で薬剤放散装置としてある。
前記装置本体１は図１と図２に示すように、送風機取付室１ａと薬剤保持体取付部１ｂを有し、その薬剤保持体取付部１ｂに薬剤保持体３を取付けて送風機２を駆動することで、その薬剤保持体３に空気が流通して保持した薬剤を気中に放散するようにしてある。
前記薬剤保持体３は、薬剤保持体取付部１ｂに着脱自在に取付けることが好ましいが、取り外しできないように取付けても良い。
前記薬剤保持体取付部１ｂは、装置本体１の外面に設けてあることが好ましい。
【００１７】
このようであるから、装置本体１は送風機２を取付けできる大きさであれば良く、その大きさは、薬剤保持体３の大きさに関係がないから、薬剤保持体３の大きさを装置本体１の大きさ以上にすることができる。
よって、薬剤保持体３の大きさに関係なく小さな装置本体１を用いることができるので、長期間使用できる薬剤放散装置でありながら、装置本体１を小さくすることができる。
【００１８】
また、薬剤保持体３を着脱自在に取付けることで、その薬剤保持体３を簡単に交換することができる。
しかも、壁などの被着対象物に装置本体１をあらかじめ取付け、その後に薬剤保持体３を取付けできるから、その取付け作業が容易である。
例えば、多量の薬剤を保持した大重量の薬剤保持体３を用いた場合に、その薬剤保持体３を外して装置本体１のみを被着対象物に取付け、その後に薬剤保持体３を取付ければ良いから、装置本体１に薬剤保持体３を取付けた状態で被着対象物に取付ける場合に比べて取付け作業が容易である。
【００１９】
次に、各部の具体形状の一例を説明するが、これに限ることはない。
前記装置本体１は、図１と図２に示すように一側面板１０と他側面板１１と周面板１２で箱形状で、その内部が送風機取付室１ａである。
前記一側面板１０に第１通気部１３が形成され、周面板１２に第２通気部１４が形成してあり、送風機２を駆動することで第１通気部１３と第２通気部１４に空気が流通する。この実施の形態では第１通気部１３が吸込口で、第２通気部１４が吐出口である。
【００２０】
前記一側面板１０に筒体１５が一体的に設けられ、その筒体１５は第１通気部１３の周囲に設けてあると共に、前記薬剤保持体３が嵌合する形状、大きさで前述の薬剤保持体取付部１ｂを形成している。
つまり、この実施の形態では、薬剤保持体取付部１ｂは薬剤保持体３が着脱自在に嵌合する嵌合雌部である。
このようであるから、薬剤保持体３を嵌合することで取付けでき、引き抜くことで外すことができるので、装置本体１に薬剤保持体３を簡単に着脱することができる。
【００２１】
前記装置本体１は、被着対象物に取付ける固着手段、例えば穴１６を有するプレート１７を備え、図１に仮想線で示すように、この穴１６から固着具１８を被着対象物１９に固着することで装置本体１を被着対象物１９に取付ける。前記穴１６にひもを通して吊り下げることもできるし、壁面に固着した止め具に穴１６を引っかけて取付けることもできる。
前記被着対象物は、例えば建物の内壁、外壁、床面、天井又は建具、電化製品、柱テーブルなどや、屋外の木立、地面、塀などである。
【００２２】
前記送風機２は、ファン２ａと、そのファン２ａを駆動するモータ２ｂを備えている。
前記モータ２ｂが他側面板１１に取付けられ、ファン２ａが回転すると第１通気部１３から空気を吸い込み、第２通気部１４から吐出する。
この実施の形態では、装置本体１は電池収納室１ｃを有し、その電池収納室１ｃに収納した電池１ｄでモータ２ｂが駆動される。
【００２３】
前記薬剤保持体３は、薬剤を保持した保持本体３ａを筒状の保護体３ｂで保護したもので、その保護体３ｂが前記薬剤保持体取付部１ｂに取付けられる。
好ましくは、着脱自在に取付けられる。
例えば、保護体３ｂの一端部が前記筒体１５に嵌合して取付けられる。つまり、保護体３ｂの一端部が前記嵌合雌部に嵌合する嵌合雄部である。
このようであるから、保持本体３ａの表面に薬剤が付着している場合に、その保護体３ｂを持って薬剤保持体３を取り扱いできるから、薬剤が手に付着したりすることがない。保持本体３ａが取り扱い時に損傷等することを防止できる。
【００２４】
前記保持本体３ａは図１と図３に示すように、ハニカム状構造体で、前記筒状の保護体３ｂの軸方向に貫通した多数の通気孔３ｃを有する。
そして、このハニカム状構造体の周囲に筒状の保護体３ｂを設けてハニカム状構造体を保護すると共に、補強している。
このようであるから、小型軽量で多量の薬剤を保持できると共に、全面に空気が均一にスムーズに流通して薬剤を終始安定して気中に放散できる。つまり、ハニカム状構造体は、気流の通過度が高く、薬剤の含有率が高く、重量的に軽量可能で、構造が簡単で取り扱いが容易である。
【００２５】
保持本体３ａがハニカム状構造体であると、保護体３ｂ内に挿入して取付ける作業がやりづらくなるので、そのハニカム状構造体の外周面の一部分又は全面に肉厚の薄いシートを巻きつけてハニカム状構造体を固持する。
このようにすることで、保護体３ｂ内に挿入し易くなるし、抜き出し易くなる。しかも、保護体３ｂの内周面との間が気密されるから、ハニカム状構造体の内部に確実に空気が流通するようになる。
【００２６】
前記シートの他に、フィルム、テープ、囲い枠などを用いることができる。
それらの材料は、合成樹脂、紙、金属等である。
また、それらの表面に表面強化剤を塗布したり、研磨することができる。
【００２７】
前記装置本体１の第１通気部１３を有する面（一側面板１０）と保持本体３ａの一端面との間に空間部１ｅが形成してある。
例えば、この実施の形態では、保護体３ｂの一端部が保持本体３ａの一端面よりも突出し、一端部に流路用凹陥部３ｄを有している。
そして、保護体３ｂの一端面が一側面板１０に当接して流路用凹陥部３ｄが空間部１ｅを形成している。
【００２８】
これによって、保持本体３ａの端面（気流通過面）が第１通気部１３よりも大きい場合でも、その第１通気部１３と流路用凹陥部３ｄ（空間部１ｅ）が連通することによって、保持本体３ａの全面に空気がほぼ均一に流通する。
【００２９】
この実施の形態では、保護体３ｂの全長が筒体１５の全長よりも長く、保護体３ｂ（薬剤保持体３）が薬剤保持体取付部１ｂよりも突出している。
この突出寸法は、薬剤保持体３が嵌合して取付けた場合に外れることがない程度である。
【００３０】
前述した実施の形態の薬剤放散装置は業務用場面、産業用場面で使用するものとして好ましい。
すなわち、本発明の薬剤放散装置の使用場面としては、一般消費者が家屋内などで使用する家庭用場面と専門業者などが工場などで使用する業務用場面、産業用場面に大別される。特に、業務用場面において、専門業者は通常、数多くの担当場所を持ち、例えば、某場所の数箇所に薬剤放散装置を取付け、薬剤保持体を装着し稼動していく、あるいは薬剤保持体を装着補充して再稼働していく、などの作業を予定された日時に処理して巡回する業務行動である。そのため、薬剤放散装置の取付け作業や薬剤保持体の装着作業などを簡単、かつ容易にし、作業効率を高めることが、専門業者にとって非常に重要なことである。
【００３１】
また、業務用場面として、例えば、工場、病院、ホテルなど大空間場所や屋外レストラン、屋上ビアガーデンなど開放空間場所で使用したり、またそれらの場所で長期間にわたって継続して使用することなどから、家庭用場面に比べて当然薬剤の使用量が増大し、これに伴い薬剤を保持した薬剤保持体が大型化する。さらに、この大型化により取り扱い面で薬剤保持体の重量化や薬剤放散機能面で薬剤保持体内の空気通過性の減退化などの問題を生じ、これらも併せて解決する必要がある。
【００３２】
これらのことがらを、前述の図１〜図３に示す薬剤放散装置によれば解消することが可能で、家庭用場面に使用するものに限ることはなく、業務用場面、産業用場面で使用するものとしても好ましい。
【００３３】
次に、各部の他の実施の形態について説明する。
装置本体１、薬剤保持体３の外周面形状は任意である。例えば、図１〜図３に示すように矩形の外周面形状でも良いし、図示しないが円形、多角形の外周面形状でも良い。
【００３４】
前記装置本体１の第１通気部１３を形成した面と薬剤保持体３の保護体３ｂの一端面を離隔して前述の空間部１ｅを形成しても良い。
例えば、図４に示すように装置本体１の筒体１５を、テーパ基部１５ａと筒状部１５ｂを有する形状とし、保護体３ｂの一端面をテーパ基部１５ａと筒状部１５ｂの境目に当接し、一側面板１０と保持本体３ａの一端面を離隔して両者の間に空間部１ｅを形成する。
この場合には、保持本体３ａと保護体３ｂがほぼ同一長さとすることができる。
【００３５】
前記装置本体１に薬剤保持体３を平行に取付けてあるが、角度を持たせ取付けても良い。
例えば、図５に示すように筒体１５を平行に対して上向きに傾斜して取付け、薬剤保持体３を水平に対して上向きに傾斜した姿勢で取付ける。
図５においては、電池収容室１ｃを送風機取付室１ａと左右に並設してあると共に、プレート１７を上下に設けてある。
【００３６】
前記装置本体１の固着手段は、前述したプレートに限ることはなく、前述の筒体１５の一部分を固着手段として天井等に吊り下げて固着するようにしても良いし、前述の電池収容室１ｃを長くし、その電池収納室１ｃの下面を固着手段とし、床面に置いて固着するようにしても良い。
また、固着手段を脚片として地面に差し込むことで装置本体１を設置するようにしても良い。
【００３７】
前記薬剤保持体３の保護体３ｂを段付き筒体として保持本体３ａをより大型としても良い。
例えば、図６に示すように保護体３ｂを小径筒部２０、テーパ筒部２１、大径筒部２２を有する段付き筒体とし、その小径筒部２０を筒体１５に嵌合して取付けると共に、大径筒部２２に保持本体３ａを取付ける。
【００３８】
前記装置本体１の第１通気部１３と筒体１５（薬剤保持体取付部１ｂ）は同心状としてあるが、偏心としても良い。
例えば、筒体１５の中心が第１通気部１３の中心に対して上方にずれたり、下方にずれたり、左右側方にずれるようにしても良い。
【００３９】
前記筒体１５内に保護体３ｂが嵌合して筒体１５が嵌合雌部、保護体３ｂの一端部が嵌合雄部としたが、筒体１５の外周面に保護体３ｂを嵌合して筒体１５を嵌合雄部、保護体３ｂの一端部を嵌合雌部としても良い。
【００４０】
前記装置本体１の薬剤保持体取付部１ｂと薬剤保持体３の取付部分の形状は、前述のように相互に嵌合する雄・雌形状に限ることはなく、係合凹部と係合凸部を相互に係合する形状としても良い。
例えば、装置本体１の一側面板１０に一対の鉤片を直線状、又は円弧形状に設けて一対の直線状係合凹部又は一対の円弧状係合凹部を形成する。
薬剤保持体３（保護体３ｂ）の一端部に、一対の鉤形片を直線状、又は円弧形状に設けて一対の直線状係合凸部又は、一対の円弧状係合凸部を形成する。
そして、直線状の係合凹部と直線状の係合凸部、円弧状の係合凹部と円弧状の係合凸部を係合して取付けるようにする。
また、装置本体１の一側面板１０にリング状で周方向の複数位置に切欠部を有する鉤片を設け、薬剤保持体３（保護体３ｂ）の一端面に複数の鉤形片を周方向に複数設け、この鉤形片を切欠部に挿入して若干角度回転することで鉤形片を鉤片に係合して取付けるようにしても良い。
【００４１】
また、筒体１５に、端面に開口した切欠凹部を周方向に間隔を置いて複数形成し、保護体３ｂの外周面に、前記切欠凹部に嵌合する張出片を一体的に設け、この張出片を切欠部に嵌合することで強固に取付けるようにしても良い。
【００４２】
また、保護体３ｂに手掛け部を設け、その手掛け部を持って容易に引き出しできるようにしても良い。
【００４３】
電池１ｄを用いずに商用電源でモータ２ｂを駆動するようにしても良い。
【００４４】
前記送風機２のファン２ａはシロッコファンであるが、そのファンはプロペラファンであっても良い。
この場合には、第２通気部１４が吸込み口で、第１通気部１３が吐出口とすることができる。
【００４５】
前記薬剤保持体３は薬剤を収容した容器、薬剤を含有したプレートでも良い。
また、保持本体３ａは、多数の粒剤等を収納した通気性容器、薬剤を含有した格子状成型物、薬剤を含有した網状成型物、薬剤を含有したシートを渦巻状にしたもの、一対の平滑シート間に波形シートを設けた段ボール紙状の素材を渦巻状としたものでも良いが、気流の通過性、薬剤含有率、重量等から前述したハニカム状構造体が好ましい。
【００４６】
前記薬剤保持体３は、複数の保持本体３ａを有するものとしても良い。
例えば、図７に示すように複数の保護体３ｂを順次嵌合連結したものとする。また、１つの保護体３ｂ内に複数の保持本体３ａを嵌合して取付ける。
このようにすれば、複数種類の薬剤を同時に放散できる。例えば、害虫防除、消臭、防菌、芳香などを任意に組み合わせできる。
【００４７】
また、保護体３ｂ内で保持本体３ａを軸方向に動かないように固定しても良い。
例えば、保護体３ｂの内周面にリング状突起を設けたり、押さえリング体を嵌合して固定したり、接着剤で固定する。
【００４８】
前述した保持本体３ａの材料としては、紙類、樹脂類、化学繊維、天然繊維、炭素繊維、ガラス繊維、セラミックなどが挙げられる、その中でも紙類、紙類とその他の複合材が、薬剤の含有率が高く、しかも軽量であるから好ましい。
【００４９】
前記保護体３ｂの形状としては、円形、菱形、四角、多面形が挙げられ、装置本体１の筒体１５に嵌合し易く、抜け難い形状で、かつ保持本体３ａの装着が容易である形状が望ましい。
この保護体３ｂの材料としては、紙類、樹脂類、金属類、木材類などが挙げられ、その中でも樹脂類、紙と樹脂の複合材が、種々の形状を一体成型でき、寸法精度が高いものが得られるなどから好ましい。
【００５０】
次に、本発明の他の実施の形態を説明する。
装置本体１を、送風機取付室１ａを形成する本体部分と薬剤保持体取付部１ｂを形成する取付部分に２分割する。
このようにすれば、本体部分に異なる形状、大きさの取付部分を取付けて装置本体１とし、その大きさの異なる取付部分に大きさの異なる薬剤保持体３を取付けできる。
よって、本体部分を共通として大きさの異なる薬剤保持体３を取付けできる。
【００５１】
例えば、図８に示すように本体部分３０の外周面に取付部分３１の内側孔３２を嵌合して取付け、その取付部分３１の嵌合用筒３３に薬剤保持体３を嵌合して取付けるようにする。
このようにすれば、図８（ａ）、（ｂ）に示すように本体部分３０を共通として大きさの異なる薬剤保持体３を取付けできる。
また、本体部分３０と取付部分３１を別々に被着対象物に取付けできるから、その取付け作業が容易である。
【００５２】
前記本体部分３０と取付部分３１を相互に移動可能としても良い。このようにすれば、装置本体１と薬剤保持体３を別々にして運搬、保管等する際に、図８に仮想線で示すように本体部分３０に対して取付部分３１を軸方向に移動して装置本体１をコンパクトにできる。
【００５３】
前記薬剤保持体３は、両端部に流路用凹陥部３ｂをそれぞれ有することが好ましい。
例えば、図９に示すように保持本体３ａよりも保護体３ｂを長くし、その保護体３ｂの軸方向両端部を保持本体３ａの両端面よりも突出させ、両端部に流路用凹陥部３ｄを有するようにする。
図９において、保護体３ｂは厚肉部４０と薄肉部４１を有する筒状で、厚肉部４０と薄肉部４１の段差部４２がストッパとしてある。
前記保持本体３ａが薄肉部４１側から挿入され、その保持本体３ａが段差部４２に当接し、両端部に流路用凹陥部３ｄをそれぞれ形成している。
【００５４】
このようにすれば、一方の流路用凹陥部３ｄで前述の空間部１ｅが形成され、他方の流路用凹陥部３ｄで整流作用が生じて空気がスムーズに流通する。
なお、この場合に保護体３ｂの内周面に、図１０に示すように軸方向に連続した凹凸４３を形成することで、より一層整流作用が生じる。
【００５５】
前述の保護体３ｂにおける整流作用が生じる部分（装置本体１への取付部と反対側部分）はテーパー形状に拡径して保持本体３ａを出し入れし易くても良いし、径方向一方に向けて湾曲させて雨等が入りづらくしても良い。
また、前記整流作用が生じる部分を上部が長く、下部が短くなるようにして太陽光が入り難くしても良い。
【００５６】
前記薬剤保持体３は、その保持本体３ａが保護体３ｂに着脱自在であることが好ましい。
例えば、図１１に示すように、保護体３ｂの内周面にリング状の突起４５とリング状の凹部４６を形成し、この保護体３ｂ内に保持本体３ａを挿入、引き出し自在とする。
前記突起４５に保持本体３ａの一端面を当接し、凹部４６にスナップリング４７を取付けて保持本体３ａの他端面に接することで保持本体３ａを保護体３ｂ内に取付ける。これにより、保持本体３ａの両端面が突起４５、スナップリング４７に密着すると共に、保持本体３ａの外周面が保持体３ｂの内周面に密着し、空気が漏れることなくスムーズに流通する。
前記スナップリング４７を外すことで、保持本体３ａを引き出しする。
【００５７】
図１２に示すように、保護体３ｂを軸方向に第１筒体５０と第２筒体５１に分割し、かつ着脱自在に連結し、その第１筒体５０と第２筒体５１とで保持本体３ａを挟持する。
具体的には、第１筒体５０を小径部５０ａとテーパー部５０ｂと大径部５０ｃを有し、そのテーパー部５０ｂと大径部５０ｃの段差部を第１支持部５２とする。
第２筒体５１は薄肉部５１ａと厚肉部５１ｂの段差部を第２支持部５３とし、その薄肉部５１ａが大径部５０ｃに嵌合して連結されるようにする。
そして、保持本体３ａの一端面の外周縁を第１支持部５２、他端面の外周縁を第２支持部５３にそれぞれ接して支持する。
このようにすることで、前述と同様に保持本体３ａの両端面、外周面が保護体３ｂの内面に密着し、空気が漏れることなくスムーズに流通する。
【００５８】
図１３と図１４に示すように、保護体３ｂを周方向に開閉自在とし、図１４に仮想線で示すように周方向に開放した状態で内部に保持本体３ａを入れたり、出したりできるようにする。そして、閉じることで保持本体３ａを保護体３ｂで支持する。
【００５９】
具体的には、保護体３ｂをほぼ半円形の第１体５５の一端部５５ａとほぼ半円形の第２体５６の一端部５６ａを開閉自在に連結し、第１体５５の他端部５５ｂと第２体５６の他端部５６ｂを係脱自在、例えば相互に係止するのこ歯形状として円形の保護体３ｂにできるようにする。
前記第１体５５、第２体５６の軸方向中間部に薄肉部を形成して保持本体３ａが嵌合する凹部５７とする。
このようにすることで、前述と同様に保持本体３ａの両端面、外周面が保護体３ｂの内面に密着し、空気が漏れることなくスムーズに流通される。
【００６０】
前述した保持本体３ａが着脱自在な薬剤保持体３は、本発明に係る装置本体１に取付けて使用するものには限ることはなく、任意な形状の薬剤放散装置の薬剤保持体３として利用できる。
つまり、薬剤量が多く、薬剤保持体３が大型の場合に、保護体３ｂに新しい保持本体３ａを交換して取付けできれば、保護体３ｂを繰り返して使用できるから、薬剤保持体３が安価である。
【００６１】
前述した各薬剤保持体３において、その保護体３ｂの両端部にキャップ体を着脱自在に取付けることで、未使用時に保持本体３ａを密閉して薬剤が無駄に気中に自然放散することを防止できる。
例えば、図１５に示すように、第１キャップ体６０と第２キャップ体６１を設け、この第１キャップ体６０、第２キャップ体６１を保護体３０ｂの両端部に嵌合して取付ける。
【００６２】
具体的には、第１キャップ体６０は筒体６０ａとプレート６０ｂを備え、その筒体６０ａが保護体３ｂの外周面に嵌合して取付けられ、流路用凹陥部３ｄがない端部にも取付けできる。
前記第２キャップ体６１はプレート６１ａにリング状の凹部６１ｂを形成したもので、その凹部６１ｂを保護体３ｂに嵌合して取付けられ、流路用凹陥部３ｄがある端部に取付けできる。
【００６３】
なお、前述したように第１・第２キャップ体６０，６１を用いて保護体３ｂ内に密封することで、保持本体３ａに薬剤を新たに保持させることが可能となる。
【００６４】
前記装置本体１に、薬剤保持体３の一部分を覆う被覆体を移動自在に取付けても良い。
例えば、図１６に示すように、装置本体１の筒体１５に筒状の被覆体７０を軸方向に移動自在に取付け、その装置本体１の取付け時、運搬時などには図１６に実線で示すように被覆体７０を引き込み位置として全長が長くならないようにする。
薬剤保持体３を取付けて使用する際には図１６に仮想線で示すように突出位置として薬剤保持体３の一部分を覆うことで、風雨等が薬剤保持体３（保護体３ｂ）に直接当たらないようにする。
【００６５】
【発明の効果】
請求項１に係る発明によれば、装置本体１の大きさは薬剤保持体３の大きさに関係なく、薬剤保持体３の大きさを装置本体１の大きさ以上とすることができる。
よって、薬剤保持体３の大きさに関係なく小さな装置本体１を用いることができ、多量の薬剤を保持して長期間使用できる薬剤放散装置でありながら、その装置本体１を小さくすることができる。
【００６６】
請求項２に係る発明によれば、装置本体１を共通として薬剤保持体３を簡単に交換することができる。
また、装置本体１を壁などの被着対象物にあらかじめ取付け、その後に薬剤保持体３を取付けできるから、その取付け作業が容易である。
【００６７】
請求項３に係る発明によれば、保護体３ｂを持って薬剤保持体３を取り扱いできるから、その取り扱い時に薬剤が手に付着したり、保持本体３ａが損傷する等を防止できる。
【００６８】
請求項４に係る発明によれば、保持本体３ａがハニカム状構造体であるから、薬剤保持体３は、小型軽量で多量の薬剤を保持できると共に、全面に空気が均一にスムーズに流通して薬剤を終始安定して気中に放散できる。
【００６９】
請求項５に係る発明によれば、保護体３ｂを共通として保持本体３ａを交換できるから、保護体３ｂを繰り返して使用できるので、薬剤保持体３が安価である。
【図面の簡単な説明】
【図１】本発明の第１の実施の形態を示す薬剤放散装置の断面図である。
【図２】装置本体の斜視図である。
【図３】薬剤保持体の斜視図である。
【図４】本発明の第２の実施の形態を示す薬剤放散装置の断面図である。
【図５】本発明の第３の実施の形態を示す薬剤放散装置の断面図である。
【図６】本発明の第４の実施の形態を示す薬剤放散装置の断面図である。
【図７】薬剤保持体の第２の実施の形態を示す断面図である。
【図８】本発明の第５の実施の形態を示す薬剤放散装置の断面図である。
【図９】薬剤保持体の第３の実施の形態を示す断面図である。
【図１０】図９の右側面図である。
【図１１】薬剤保持体の第４の実施の形態を示す断面図である。
【図１２】薬剤保持体の第５の実施の形態を示す断面図である。
【図１３】薬剤保持体の第６の実施の形態を示す断面図である。
【図１４】図１３の右側面図である。
【図１５】薬剤保持体の第７の実施の形態を示す断面図である。
【図１６】本発明の第６の実施の形態を示す薬剤放散装置の断面図である。
【符号の説明】
１…装置本体、１ａ…送風機取付室、１ｂ…薬剤保持体取付部、２…送風機、３…薬剤保持体、３ａ…保持本体、３ｂ…保護体。
【図１】
2004337035.tif 000003
【図２】
2004337035.tif 000004
【図３】
2004337035.tif 000005
【図４】
2004337035.tif 000006
【図５】
2004337035.tif 000007
【図６】
2004337035.tif 000008
【図７】
2004337035.tif 000009
【図８】
2004337035.tif 000010
【図９】
2004337035.tif 000011
【図１０】
2004337035.tif 000012
【図１１】
2004337035.tif 000013
【図１２】
2004337035.tif 000014
【図１３】
2004337035.tif 000015
【図１４】
2004337035.tif 000016
【図１５】
2004337035.tif 000017
【図１６】
2004337035.tif 000018